(57)【要約】【課題】大きなトルクを伝達する自在継手を構成すべく、金属板の厚さ寸法を大きくしたり、或いは高強度材を使用した場合でも、回転軸の端部を結合固定すべき基部１０ａの形状を良好にできる製造方法を実現する。【解決手段】金属板を打ち抜いて造った素板１５にプレスによる塑性加工を、（Ａ）→（Ｂ）→（Ｃ）→（Ｄ）→（Ｅ）の工程で施す。（Ｃ）→（Ｄ）の工程、及び、（Ｄ）→（Ｅ）の工程で、基板部１６の片面を受型により抑えると共に、この基板部１６の他面中央部を抑え型によりこの受型に向け押圧する。この状態で、この基板部１６の他面の両側部分を、押型により押圧する。この結果、この基板部の片面が上記受型から浮き上がる事を防止して、この受型の形状を上記基板部１６に対し正確に転写し、精度の良い上記基部１０ａを安定して造れる。【選択図】図１
2010188413.tif 000002
【特許請求の範囲】
【請求項１】
回転軸の端部を結合固定する為の基部と、この基部の軸方向一端縁で直径方向反対側位置からこの基部の軸方向に延出した１対の腕部とを備えた自在継手用ヨークを造る為に、金属板を打ち抜き成形する事により、略矩形の基板部と、この基板部の一端縁の互いに離隔した２箇所位置から突出した１対の舌状部とを備えた、平坦な素板を形成した後、上記基板部のうち、これら両舌状部の間部分の中央部分でこの基板部の片面に、この片面に対向する部分を部分円筒状凸面である加工面とした受型を突き当てた状態で、上記間部分の両側で上記基板部の他面に二股の押型を押し付ける事により、この間部分をＵ字形に折り返して、この基板部を上記基部とする自在継手用ヨークの製造方法に於いて、この基板部の他面のうちの上記間部分を、抑え型により上記受型に向け、この間部分がこの受型から浮き上がらない以上の力で押圧した状態で、上記押型により上記他面のうちの上記間部分の両側部分を押圧する事を特徴とする自在継手用ヨークの製造方法。
【請求項２】
抑え型を基板部の他面に押し付ける力を、この基板部の他面が押型の先端面の形状に合わせて、この基板部の厚さ寸法が小さくなる方向に塑性変形する大きさとする、請求項１に記載した自在継手用ヨークの製造方法。
【請求項３】
ガススプリングにより抑え型を基板部の他面に押し付けた状態で、押型によりこの基板部の他面のうちの間部分の両側部分を押圧する、請求項１〜２のうちの何れか１項に記載した自在継手用ヨークの製造方法。
【請求項４】
金属ばねにより抑え型を基板部の他面に押し付けた状態で、押型によりこの基板部の他面のうちの間部分の両側部分を押圧する、請求項１〜２のうちの何れか１項に記載した自在継手用ヨークの製造方法。
【請求項５】
１対のフランジ及びこれら両フランジ同士の間に存在する折り返し部を有する、回転軸の端部を結合固定する為の欠円筒状の基部と、この基部の軸方向一端縁で直径方向反対側位置からこの基部の軸方向に延出した１対の腕部とを備えた自在継手用ヨークに於いて、この基部のうちで上記折り返し部の外周面の中央部に平坦面を有する事を特徴とする自在継手用ヨーク。
【発明の詳細な説明】
【技術分野】
【０００１】
この発明は、同一直線上に存在しない１対の回転軸の端部同士を連結して、これら両回転軸同士の間で回転力の伝達を可能とする自在継手を構成するヨークのうち、金属板をプレス加工する事により造られる自在継手用ヨーク及びその製造方法の改良に関する。具体的には、大きなトルクを伝達する自在継手を構成すべく、上記金属板の厚さ寸法を大きくした場合でも、上記回転軸の端部を結合固定すべき基部の形状を良好にできる製造方法の実現を図り、併せて、回転軸の端部との結合が容易な構造を実現するものである。
【背景技術】
【０００２】
本発明の対象となるヨークを含んで構成した自在継手を組み込む装置として、図５に示す様な自動車用操舵装置が広く知られている。この自動車用操舵装置は、ステアリングホイール１の動きをステアリングギヤユニット２に伝達するもので、このステアリングホイール１の動きを、ステアリングシャフト３と、自在継手４ａと、中間シャフト５と、自在継手４ｂとを介して、上記ステアリングギヤユニット２の入力軸６に伝達する様にしている。上記ステアリングホイール１の操作に伴ってこの入力軸６が回転すると、上記ステアリングギヤユニット２が、左右１対のタイロッド７、７を押し引きして、操舵輪に所望の舵角を付与する。尚、図５に示した例では、電動モータ８により上記ステアリングシャフト３に、運転者が上記ステアリングホイール１に加えた力に応じた補助力を付与する、電動式パワーステアリング装置を組み込んでいる。
【０００３】
この様な自動車用操舵装置に組み込む自在継手４ａ、４ｂは、周知の様に、それぞれ１対のヨークを十字軸を介して、トルクの伝達及び揺動変位を自在に組み合わせて成る。この様な自在継手を構成するヨークとして、鋼板等の金属板にプレス加工を施して成るヨークが、製造コストを低く抑えられる事から、例えば特許文献１〜５に記載される等により、従来から広く知られている。図６は、この様な従来から広く知られているプレス型のヨーク９の１例を示している。このヨーク９は、基部１０と、この基部１０の軸方向一端縁から延出した１対の腕部１１、１１とから成る。
【０００４】
このうちの基部１０は、上記ヨーク９を固定すべき回転軸の端部を挿入する為、円周方向１箇所を不連続とした欠円筒状に形成しており、不連続部には、互いに対向する１対のフランジ１２、１２を設けている。そして、一方のフランジ１２に、ボルト（図示せず）の杆部を挿通する為の通孔１３を、他方のフランジ１２に、上記ボルトの杆部を螺合させる為、上記通孔１３と同心のねじ孔（図示せず）を、それぞれ形成している。尚、図６に記載したヨーク９の場合には、金属板を１８０度折り返して２枚重ねとしたフランジ１２、１２を設けている。これに対して、金属板を１枚のみで構成したフランジを備えたヨークも、従来から知られている。又、１枚の金属板の厚さを肉寄せにより増大させたフランジを備えたヨークも、従来から知られている。何れの構造のヨークも、本発明の製造方法の対象となり得る。
【０００５】
一方、上記各腕部１１、１１は、上記基部１０の軸方向一端縁で直径方向反対側位置から上記基部１０の径方向外方に少し折れ曲がった後、この基部１０の軸方向に延出している。又、上記各腕部１１、１１は、互いに対向する面を円筒状の凹面としている。又、これら各腕部１１、１１の先端部には、互いに同心の円孔１４、１４を形成している。上記ヨーク９と十字軸（図示せず）とを組み合わせて自在継手を構成する場合には、上記各円孔１４、１４内に軸受カップ（図示せず）を圧入する。これら各軸受カップは、ラジアルニードル軸受の外輪として機能し、上記ヨーク９に対して上記十字軸を、揺動変位自在に結合支持する。
【０００６】
又、上述の様なプレス型のヨークの製造方法に就いても、例えば特許文献２〜４に示す様に、従来から広く知られている。図７は、これら特許文献２〜４に記載される等により従来から広く知られている製造方法を、工程順に示している。
先ず、鋼板等、十分な剛性を有する金属板をプレス加工で打ち抜く事により、図７の（Ａ）に示す様な平坦な素板１５を得る。この素板１５は、略矩形の基板部１６と、この基板部１６の一端縁から兎の耳状に突出した、１対の舌状部１７、１７とを備える。この様な素板１５は、上記基板部１６の両端部を、それぞれ幅狭部１８、１８部分で１８０度折り返す事により、同図の（Ｂ）に示す様な第一中間素材１９とする。次いで、この第一中間素材１９を１対の押型同士の間で押圧して塑性変形させる事により、同図の（Ｃ）に示す様な第二中間素材２０とする。この第二中間素材２０は、１対の腕部１１、１１（図６参照）となるべき、上記両舌状部１７、１７部分が部分円筒状に湾曲すると共に、これら両舌状部１７、１７の基端寄り部分が略クランク状に折れ曲がって、これら両舌状部１７、１７の中間部乃至先端寄り部分が、上記基板部１６に対しオフセットしている。次いで、この様な第二中間素材２０は、上記基板部１６の中央部分を少し（９０度を超えて１８０度未満、例えば１３０〜１５０度程度）湾曲させて、同図の（Ｄ）に示す様な第三中間素材２１とする。次に、この第三中間素材２１の基板部１６を更に（平板の状態から１８０度迄）湾曲させて、同図の（Ｅ）に示す様な第四中間素材２２とする。この状態で、完成後のヨークに備えられる、基部１０と１対の腕部１１、１１とが形成される。そこで最後に、このうちの基部１０に通孔１３及びねじ孔を、これら両腕部１１、１１に円孔１４、１４（図６参照）を、それぞれ形成して、図６に示す様なヨーク９として完成する。
【０００７】
図７に示す様な工程で図６に示す様なヨーク９を造れば、このヨーク９の加工コストを低く抑えられるが、伝達可能なトルクを大きくすべく、上記素板１５の厚さ寸法を大きくすると、そのままでは高精度のヨーク９を得る事が難しくなる。特に、前述の図５に示す様な、自在継手４ａ、４ｂよりもステアリングホイール側に電動モータ８を設ける、所謂コラムタイプの電動式パワーステアリング装置の場合には、上記両自在継手４ａ、４ｂにより大きなトルクを伝達する必要がある。この為、これら両自在継手４ａ、４ｂを構成するヨークを高剛性化する必要があり、上記図６に示した様なヨークを構成する鋼板の厚さ寸法を大きくする必要がある。例えば、従来の（コラムタイプの電動式パワーステアリング装置でない）場合に６．５mm程度であった厚さ寸法を、８mm程度に増大させる必要がある。この様に厚さ寸法の大きな鋼板を１８０度折り返す場合に、従来方法のままでは、精度良く折り返す事が難しい。この理由に就いて、図８を参照しつつ説明する。尚、この図８では、左半部に加工開始直前の状態を、右半部に加工終了の状態を、それぞれ表している。
【０００８】
上記鋼板を１８０度折り返す工程では、前述の図７の（Ｃ）→（Ｄ）→（Ｅ）に示す様に、平坦な基板部１６を、所望の曲率半径で順次折り返す。この様な折り返し作業は、図８に示す様に、受型２３と押型２４との間で上記基板部１６の中間部を折り返す事により行う。この為に、この基板部１６の中間部で１対の舌状部１７、１７（図７参照）の間部分２５の中央部分の片面（下面）を、上記受型２３の先端面に突き当てる。この受型２３の先端部でこの基板部１６の片面に対向する部分は、部分円筒状凸面である、加工面２９としている。この様な受型２３にこの基板部１６の片面を突き当てた状態で、上記間部分２５の両側でこの基板部１６の他面（上面）に、二股の上記押型２４の先端部を押し付ける。そして、上記間部分２５をＵ字形に折り返して、上記基板部１６を、図６及び図７の（Ｅ）に示した基部１０とする。尚、図８には、図７の（Ｃ）→（Ｄ）の工程を示したが、図７の（Ｄ）→（Ｅ）の工程に就いても、図８とは形状が多少異なる受型及び押型を使用して、同様にして行う。
【０００９】
この様な方法により、上記基板部１６の間部分２５を１８０度折り返す作業を行う場合で、この基板部１６（を構成する金属板）の厚さ寸法が大きいと、この基板部１６の変形が不十分になり、完成後の基部１０の形状が不正になり易くなる。具体的には、図８の左半部に示した状態から右半部に示した状態への成形工程の進行に伴って、上記基板部１６の片面（下面）が上記受型２３の加工面２９から浮き上がり（これら基板部１６の片面と受型２３の加工面２９との間に隙間が発生し）、この加工面２９の形状がこの基板部１６に転写されなくなる可能性を生じる。この様な浮き上りが発生する理由は、成形の進行と共に上記受型２３の加工面２９と上記基板部１６の片面との接触位置が両外側へ移動すると共に、この基板部１６の他面と上記押型２４との接触位置が、上記加工面２９と上記片面との接触位置よりも下方に移動し、これらの移動に伴って、上記基板部１６の中央部を上方に突上げる方向に力が発生する為と考えられる。この結果、上述の様に上記基板部１６の片面が上記受型２３の加工面２９から浮き上がり、この加工面２９の形状がこの基板部１６に転写されなくなって、加工完了後に於ける前記基部１０の形状が不正になり易い。この様な原因で形状の不正が発生する頻度は、成形（上記基板部１６の折り返し）に要する力が大きくなる程高くなる。この為、大きなトルクを伝達可能な自在継手を構成する為に、前記ヨーク９を構成する金属材料として、高強度材や厚さ寸法の大きなものを使用する場合には、上述の様な原因で生じる形状の不正を防止する為の対策が必要になる。
【先行技術文献】
【特許文献】
【００１０】
【特許文献１】特開昭５８−１９３９３５号公報
【特許文献２】特開２０００−３２０５６４号公報
【特許文献３】特開２００４−２２３６１６号公報
【特許文献４】特公平７−８８８５９号公報
【特許文献５】実用新案登録第２５０８５７５号公報
【発明の概要】
【発明が解決しようとする課題】
【００１１】
本発明は、上述の様な事情に鑑みて、大きなトルクを伝達する自在継手を構成すべく、金属板の厚さ寸法を大きくしたり、或いは高強度材を使用した場合でも、回転軸の端部を結合固定すべき基部の形状を良好にできる、自在継手用ヨークの製造方法を実現し、併せて、回転軸の端部との結合が容易な構造を実現すべく発明したものである。
【課題を解決するための手段】
【００１２】
本発明の製造方法の対象となる自在継手用ヨークは、回転軸の端部を結合固定する為の基部と、この基部の軸方向一端縁で直径方向反対側位置からこの基部の軸方向に延出した１対の腕部とを備える。
又、本発明の自在継手用ヨークの製造方法は、上述の様な自在継手用ヨークを造る為に、前述した従来方法と同様に、先ず、金属板を打ち抜き成形する事により、略矩形の基板部と、この基板部の一端縁の互いに離隔した２箇所位置から突出した１対の舌状部とを備えた、平坦な素板を形成する。
その後、上記基板部のうち、上記両舌状部の間部分の中央部分でこの基板部の片面に、この片面に対向する部分を部分円筒状凸面である加工面とした受型を突き当てた状態で、上記間部分の両側で上記基板部の他面に、二股の押型を押し付ける。そして、この間部分をＵ字形に折り返して、この基板部を上記基部とする。
【００１３】
特に、本発明の自在継手用ヨークの製造方法に於いては、上記基板部の他面のうちの上記間部分を、抑え型により上記受型に向け、この間部分がこの受型から浮き上がらない以上の力で押圧した状態で、上記押型により上記他面のうちの上記間部分の両側部分を押圧する。
この様な本発明の自在継手用ヨークの製造方法を実施する場合に好ましくは、請求項２に記載した発明の様に、上記抑え型を基板部の他面に押し付ける力を、この基板部の他面が押型の先端面の形状に合わせて、この基板部の厚さ寸法が小さくなる方向に塑性変形する大きさとする。
又、上述の様な本発明の自在継手用ヨークの製造方法を実施する場合に、例えば請求項３、４に記載した発明の様に、ガススプリング或いは金属ばねにより上記抑え型を上記基板部の他面に押し付けた状態で、上記押型によりこの基板部の他面のうちの間部分の両側部分を押圧する。
更に、請求項５に記載した本発明の自在継手用ヨークは、１対のフランジ及びこれら両フランジ同士の間に存在する折り返し部を有する、回転軸の端部を結合固定する為の欠円筒状の基部と、この基部の軸方向一端縁で直径方向反対側位置からこの基部の軸方向に延出した１対の腕部とを備え、この基部のうちで上記折り返し部の外周面の中央部に平坦面を有する。
【発明の効果】
【００１４】
上述の様に構成する本発明の自在継手用ヨークの製造方法によれば、基板部をその中間部で折り返して基部とする過程で、この基板部の片面が受型から浮き上がる事を防止できる。この為、この受型の加工面の形状をこの基板部に対し正確に転写できて、精度の良い基部を備えたヨークを安定して造る事ができる。
又、本発明の自在継手用ヨークによれば、ボルトの締め付けに伴う基部の縮径を軽い力で行える様にできて、回転軸の端部との結合が容易になる。
【図面の簡単な説明】
【００１５】
【図１】本発明の実施の形態の１例を、工程順に示す平面図及び端面図。
【図２】本例の製造方法により造られるヨークの斜視図。
【図３】基板部に対し抑え型を押し付ける為にガススプリングを使用した場合に就いて、左半部に加工開始直前の状態を、右半部に加工終了の状態を、それぞれ表した断面図。
【図４】同じく外部から加える力により基板部に対し抑え型を押し付ける場合に就いて示した、図３と同様の図。
【図５】自在継手を組み込んだ自動車用操舵装置の１例を示す部分切断側面図。
【図６】自在継手用ヨークの１例を示す斜視図。
【図７】従来の製造方法の１例を、工程順に示す平面図及び端面図。
【図８】従来方法で、受型と押型との間で基板部を折り返す状態を示す、図３と同様の図。
【発明を実施するための形態】
【００１６】
図１〜４により、本発明の実施の形態に就いて説明する。本発明の製造方法は、図１の（Ａ）→（Ｂ）→（Ｃ）→（Ｄ）→（Ｅ）の工程で、図２に示す様なヨーク９ａを造る。本例の製造工程により造られるヨーク９ａの基本的構成は、前述の図６に示した、従来から知られているヨーク９と同様である。但し、本例の製造工程により造られるヨーク９ａの場合には、基部１０ａの折り返し部２６の外周面部分に、平坦面２７が形成されている。又、本発明の製造方法のうち、図１の（Ａ）→（Ｂ）→（Ｃ）に示す工程は、前述の図７に示した従来の製造方法のうちの（Ａ）→（Ｂ）→（Ｃ）の工程と同じである。本例の製造方法の特徴は、図１の（Ｃ）→（Ｄ）→（Ｅ）の工程部分にある。就いては、以下、この図１の（Ｃ）→（Ｄ）→（Ｅ）の工程部分に就いて説明する。
【００１７】
この図１の（Ｃ）→（Ｄ）→（Ｅ）に示した、鋼板を１８０度折り返して、上記基部１０ａに上記折り返し部２６を形成する工程では、上記図７の（Ｃ）に示した、両端の重ね合わせ部２８、２８を除いて平坦な基板部１６を、所望の曲率半径で順次折り返す。この様な折り返し作業は、図３又は図４に示す様に、受型２３と押型２４ａとの間で上記基板部１６の中間部を折り返す事により行う。この為に、この基板部１６の中間部で１対の舌状部１７、１７（図１参照）の間部分２５の中央部分の片面（下面）を、上記受型２３の先端部に突き当てる。この受型２３の先端部でこの基板部１６の片面に対向する部分は、部分円筒状凸面である、加工面２９としている。この様な受型２３に上記基板部１６の片面を突き当てた状態で、上記間部分２５の両側でこの基板部１６の他面（上面）に、二股の上記押型２４ａの先端部を押し付ける。そして、上記間部分２５をＵ字形に折り返して、上記基板部１６を、図１の（Ｅ）及び図２に示した基部１０ａとする。
【００１８】
以上に説明した、上記図１の（Ｃ）→（Ｄ）→（Ｅ）の工程は、前述の図７で説明した従来の製造方法に於ける（Ｃ）→（Ｄ）→（Ｅ）の工程と同じである。特に、本例の製造方法の場合には、上記図１の（Ｃ）→（Ｄ）の工程、及び、この図１の（Ｄ）→（Ｅ）の工程を、抑え型３０ａ、３０ｂにより、上記基板部１６の他面（上面）のうちの上記間部分２５を、上記受型２３の加工面２９に押し付けた状態で行う。この為に図３に示した第１例の場合には、上記抑え型３０ａを上記押型２４ａの中央部に設けた保持孔３２内に、ガススプリング３１（又は皿板ばね等の大きな弾力を有する金属ばね）を介して、若干の昇降を可能に、弾性的に（大きな力が加わった場合に、この押型２４ａに対して上昇する様に）支持している。これに対して図４に示した第２例の場合には、上記抑え型３０ｂを、上記押型２４ａをセットしたプレス加工機（プレス加工機に内蔵したクッション装置）により、下方への押圧を可能に設けている。何れの場合でも、上記抑え型３０ａ、３０ｂは上記基板部１６を上記受型２３に対し、上記図１の（Ｃ）→（Ｄ）の工程の間中、及び、この図１の（Ｄ）→（Ｅ）の工程の間中、浮き上がらない程度に大きな力で押圧する。何れの場合でも、この力の大きさとして具体的には、自動車用操舵装置を構成する自在継手のヨーク９ａを、厚さが８mm程度の軟鋼板で造る場合で、３９．２ｋＮ（４Ｔｆ）程度とする。
【００１９】
本例の製造方法の場合には、上記抑え型３０ａ、３０ｂにより上記基板部１６を上記受型２３に対し押し付けつつ、上記押型２４ａによりこの基板部１６の両側を下方に押圧する為、この基板部１６の間部分２５が上記受型２３から浮き上がらない。この為、この受型２３の加工面２９の形状が上記間部分２５に、正確に転写される。尚、上記図３、４には、図１の（Ｃ）→（Ｄ）の工程を示したが、図１の（Ｄ）→（Ｅ）の工程に就いても、図３、４とは形状が多少異なる受型及び押型を使用して、同様にして行う。即ち、図１の（Ｄ）→（Ｅ）の工程は、受型の加工面の形状が半円筒状凸面で、押型が基板部１６をより下方に迄押し下げられる形状の金型装置を使用して行う。
【００２０】
上述の様に本例の自在継手用ヨークの製造方法によれば、受型２３の加工面２９の形状を基板部１６の片面に正確に転写できる。この為、図２に示す様な、精度の良い基部１０ａを備えたヨーク９ａを安定して造る事ができる。
又、上記基部１０ａを造る為に上記基板部１６を曲げ成形する過程で、上記抑え型３０ａ、３０ｂによりこの基板部１６の片面中央部を上記受型２３に向け、３９．２ｋＮ程度の大きな力で押圧する。上記抑え型３０ａ、３０ｂの先端面３３は平坦面である為、得られる基板部１６の折り返し部２６の外周面側中央部には平坦面２７が形成され、この中央部の厚さがその分だけ小さくなる。上記条件の場合、この平坦面２７の幅Ｗ27｛図１の（Ｅ）参照｝が６mm程度になり、この平坦面２７の中央部の厚さＴ27｛図１の（Ｅ）参照｝は、この平坦面２７から円周方向に外れた両側部分の厚さに比べて０．８mm程度小さく（７．２mm程度に）なる。
【００２１】
この様に、上記折り返し部２６の中央部の厚さが小さくなる事は、次の様な理由により、上記基部１０ａと図示しない回転軸の端部とを結合固定する面から有利に働く。即ち、これら基部１０ａと回転軸の端部とを結合固定するには、この回転軸の端部をこの基部１０ａの内側に差し込んだ状態で、この基部１０ａを構成する１対のフランジ１２、１２のうちの一方に形成した通孔１３に挿通したボルトを、他方に形成したねじ孔に螺合し、更に締め付ける。本例の製造方法により造られるヨーク９ａの場合、上記平坦面２７の存在により上記折り返し部２６の厚さ寸法が小さくなっている分、上記ボルトの締め付けに伴って上記基部１０ａの内径が縮まり易い。この結果、この基部１０ａの内周面により上記回転軸の端部外周面を抑え付けるべく、上記ボルトを締め付ける為に要する力が小さくて済む。即ち、大きなトルク伝達を可能にすべく、上記ヨーク９ａを構成する金属板を単に厚さを大きくしただけにすると、上記基部１０ａの剛性が高くなり過ぎて、上記基部１０ａと回転軸の端部とを結合固定する為に要する力（ボルトの軸力）が過大になる。これに対して、上記平坦面２７により上記折り返し部２６の中央部の厚さを小さくする分、上記ボルトの軸力を低く抑えられる。言い換えれば、小さな力で、上記基部１０ａと回転軸の端部とを確実に結合固定できる。
【００２２】
又、上記平坦面２７は、上記折り返し部２６の外周面中央部の所定位置に形成される為、この平坦面２７を基準面として、その後の加工を行える。即ち、図１の（Ｃ）→（Ｄ）→（Ｅ）の工程を経て造られた第四中間素材２２ａ｛図１の（Ｅ）｝には、その後、切削加工により、通孔１３、ねじ孔、円筒１４、１４を形成する。上記平坦面２７は、これら各孔１３、１４を切削加工する際の基準面として利用できる為、これら各孔１３、１４の加工精度確保の容易化を図る面から有利である。又、上記平坦面２７が存在する、上記折り返し部２６の外周面中央部は、視認性の良い部位である為、この平坦面２７を、上記ヨーク９ａに関するデータ（製造刻印）の打刻位置とすれば、このヨーク９ａを管理する面からも有利になる。
【産業上の利用可能性】
【００２３】
以上の説明は、本発明を、電動式パワーステアリング装置を組み込んだ自動車用操舵装置に組み込む自在継手のヨークを造る場合に就いて説明した。これに対して、本発明は、この様な用途に使用する自在継手のヨークを造る場合に限らず、従来に比較して、厚肉の、或いは、材質的に剛性の高い金属板にプレス加工を施してヨークを造る場合に適用できる。
【符号の説明】
【００２４】
１    ステアリングホイール
２    ステアリングギヤユニット
３    ステアリングシャフト
４ａ、４ｂ  自在継手
５    中間シャフト
６    入力軸
７    タイロッド
８    電動モータ
９、９ａ  ヨーク
１０、１０ａ  基部
１１    腕部
１２    フランジ
１３    通孔
１４    円孔
１５    素板
１６    基板部
１７    舌状部
１８    幅狭部
１９    第一中間素材
２０    第二中間素材
２１    第三中間素材
２２、２２ａ  第四中間素材
２３    受型
２４、２４ａ  押型
２５    間部分
２６    折り返し部
２７    平坦面
２８    重ね合わせ部
２９    加工面
３０ａ、３０ｂ  抑え型
３１    ガススプリング
３２    保持孔
３３    先端面
【図１】
2010188413.tif 000003
【図２】
2010188413.tif 000004
【図３】
2010188413.tif 000005
【図４】
2010188413.tif 000006
【図５】
2010188413.tif 000007
【図６】
2010188413.tif 000008
【図７】
2010188413.tif 000009
【図８】
2010188413.tif 000010